(57)【要約】【課題】  フィルターを回転させ、その外面に集積される塵埃を簡単に取除くことができる簡便な構造のフィルター組立体を提供する。【解決手段】  ダストカップを有するサイクロン集塵装置の排気ポートを介して排出される、渦巻き気流に含まれ遠心分離される塵埃をフィルタリングさせるフィルター組立体において、排気ポートについて回転自在に結合され、外周面に設けられた吸気グリル部、及び排気ポートと連通する排気口を備える回転フィルターと、ダストカップ内にて軸線方向に配置され、前記回転フィルターと結合される一端と前記ダストカップを貫いて外部に露出された他端を備える作動バーと、作動バーの他端と結合して、前記作動バーを前記回転フィルターと一体に回転させる操作ノブとを含む。【選択図】      図３ 
2004313745.tif 000002
【特許請求の範囲】
【請求項１】
ダストカップを有するサイクロン集塵装置の排気ポートに排出される、気流に含まれた塵埃をフィルタリングさせるフィルター組立体において、
前記排気ポートについて回転自在に結合され、外周面に設けられた吸気グリル部、及び前記排気ポートと連通する排気口を備える回転フィルターと、
前記ダストカップ内に軸線方向に配置され、前記回転フィルターと結合される一端と前記ダストカップを貫いて外部に露出された他端を備える作動バーと、
前記作動バーの他端と結合して、前記作動バーを前記回転フィルターと一体に回転させる操作ノブとを含んで構成される真空掃除機のサイクロン集塵装置用フィルター組立体。
【請求項２】
前記作動バーの一端と前記回転フィルターとの結合は、
前記回転フィルターの下部面に放射上にて突出された複数の被動結合突起と、
前記作動バーの一端に前記被動結合突起と噛み合うよう形成された複数の可動結合突起によるものであることを特徴とする請求項１に記載の真空掃除機のサイクロン集塵装置用フィルター組立体。
【請求項３】
前記複数の被動結合突起は、それぞれ外側方向に沿って突出の高さが次第に大きくなるよう形成されたことを特徴とする請求項２に記載の
真空掃除機のサイクロン集塵装置用フィルター組立体。
【請求項４】
前記作動バーの他端と前記走査ノブとの結合は、
前記作動バーの他端を包むように前記作動バーの外周面から下向き延長し、前記ダストカップの底面と回転自在に接面する回転係止部と、
前記操作ノブの底面から前記作動バーの他端を収容するよう上向き突出した収容リブと、
前記操作ノブの底面を貫いて前記作動バーの他端に締結される締結部材によって構成されることを特徴とする請求項１に記載の真空掃除機のサイクロン集塵装置用フィルター組立体。
【請求項５】
前記排気ポートに結合され、前記回転フィルターを回転自在に支持する回転支持体をさらに含むことを特徴とする請求項１に記載の真空掃除機のサイクロン集塵装置用フィルター組立体。
【請求項６】
前記回転支持体は、
前記回転フィルターを内部に収容し、上端部に前記排気ポートに着脱自在の結合部が備えられ、外周面には複数の吸気窓が形成されている収容フレームと、
前記支持フレームの下部に結合され、前記回転フィルターを回転自在に支持する支持ベースとを含むことを特徴とする請求項５に記載の真空掃除機のサイクロン集塵装置用フィルター組立体。
【請求項７】
前記回転フィルターの外面に固定され、前記回転フィルターの回転時、回転フィルターにフィルタリングされた塵埃を取り除くブラシをさらに含むことを特徴とする請求項１に記載の真空掃除機のサイクロン集塵装置用フィルター組立体。
【請求項８】
前記回転フィルターの外面に固定され、前記回転フィルターの回転時、前記回転フィルターにフィルタリングされた塵埃を取り除くブラシをさらに含むことを特徴とする請求項６に記載の真空掃除機のサイクロン集塵装置用フィルター組立体。
【発明の詳細な説明】
【技術分野】
【０００１】
本発明は真空掃除機のサイクロン集塵装置に係り、特にサイクロン集塵装置内に設けられ遠心分離される塵埃をフィルタリングした後、排気させるサイクロン集塵装置用フィルター組立体に関する。
【背景技術】
【０００２】
真空掃除機のサイクロン集塵装置内に設けられるフィルターは、掃除機本体に排出される空気に含まれた微細なホコリをフィルタリングさせる機能を行なう。通常、このようなフィルターにはフィルタリングされた塵埃がその外面に次第に集積されるため、周期的に掃除しなければならない不便があった。従って、最近はサイクロン集塵装置のダストカップの開閉と連動して、フィルターの外面に集塵された塵埃を除去させうるフィルター掃除機構が提案されている。
【０００３】
図１はこのような従来のフィルター掃除機構が設けられたサイクロン集塵装置の縦断図であり、図２は図１のフィルター掃除機構の斜視図であって、特許文献１に開示された図である。サイクロン集塵装置１は、図１に示した通り、吸気ポート１１１と排気ポート１２１が形成されたサイクロンボディ１１０、サイクロンボディ１１０に着脱自在に結合されるダストカップ１０３、及びサイクロンボディ１１０の排気ポート１２１に設けられダストカップ１０３内に配置されるフィルター１３０が備えられる。
【０００４】
サイクロンボディ１１０は、塵埃分離室１１５を形成する筒結合部１２５と、塵埃分離室１０５からエルボ状に延びた連結管１１３を備える。塵埃分離室１１５には斜線方向に外向きに開口された吸気ポート１１１と、上向きに開口された排気ポート１２１が設けられている。吸気ポート１１１は連結管１１３の内部と連通し、連結管１１３の末端には真空掃除機の塵埃吸込部(図示せず)を有する吸入管１０７が結合される。排気ポート１２１には真空掃除機の掃除機本体(図示せず)に連結されたフレキシブル管１０９が結合される。
【０００５】
サイクロンボディ１１０の筒結合部１２５は下向きに開口され、上向き開口を有する筒状のダストカップ１０３が収容される。塵埃分離室１１５の筒結合部１２５とダストカップ１０３の開口外面との間には気密維持のためのガスケット１４１が介在される。一方、ダストカップ１０３はその下部外面からサイクロンボディ１１０の連結管１１３に向かって突出されたフック１０４を備える。このフック１０４に対応する連結管１１３の外面にはフック溝１１４が設けられ、フック１０４はフック溝１１４について上下方向に噛み合い結合することができる。
【０００６】
このように塵埃分離室１１５の下部に結合されたダストカップ１０３内には、塵埃分離室１１５の排気ポート１２１に結合されたフィルター１３０が収容される。フィルター１３０は上向きに開口された円筒状を有し、その外周面に複数の通気窓が備えられている。そして、通気窓の外面には多数の微細な通気孔を有する網状体１３５が設けられている。網状体１３５は排気される空気に含まれた微細な塵埃をフィルタリングさせる役割を果たす。
【０００７】
一方、このようなサイクロン集塵装置に装着された従来のフィルター掃除機構１５０は、図２に示した通り、フィルター１３０の外面を包む塵埃除去リング１５１、塵埃除去リング１５１を弾性的に下向きに加圧する弾性バネ１５５、及び塵埃除去リング１５５をフィルター１３０の上部に位置決めするスライダー１６１とロッキングリバー１７１を備える。サイクロンボディ１１０の連結管１１３とダストカップ１０３との間にはスライダー１６１の上下摺動のための案内溝部１５７が備えられる。
【０００８】
スライダー１６１は塵埃除去リング１５１の外面から下向に折曲延長され、案内溝部１５７内に上下摺動自在に収容される。このスライダー１６１はダストカップ１０３の突起溝(図示せず)と噛み合う結合突起１６２を備え、これら結合突起１６２と突起溝の作用により、ダストカップ１０３はスライダー１６１と一体に摺動自在である。すなわち、スライダー１６１の摺動と連動して、ダストカップ１０３は塵埃分離室１１５について分離結合される。また、スライダー１６１にはその一側長手方向の縁部に一定間隔を開けて陥没された一対のロッキング溝１６５、１６６を備える。
【０００９】
一方、ロッキングリバー１７１は、スライダー１６１のロッキング溝１６５、１６６と作用するロッカ１７２及びユーザが操作可能な操作部１７４を備える。かかるロッキングリバー１７１は案内溝部１５７に設けられた回転軸１７６を中心に回転し、ロッカ１７２をスライダー１６１のロッキング溝１６５、１６６と結合させる。そのため、ロッカ１７２をロッキングリバー１７１の外側に、ロッキング溝１６５、１６６に向かって弾性的に加圧するロッカバネ１８１を設けている。
【００１０】
かかる構成により、従来のフィルター掃除機構１５０を備えるサイクロン集塵装置１００では、ロッキングリバー１７１の操作部１７４を押してそのダストカップ１０３を取り外すことができる。すると、取り外されるダストカップ１０３と連動してフィルター掃除機構１５０が作動される。すなわち、ロッキングリバー１７１の操作部１７４を押して回転軸１７６を中心に回転させれば、ロッカ１７２がスライダー１６１のロッカ溝１６５、１６６から外向きに離脱する。この際、圧縮され弾性力を保有している弾性バネ１５５が膨張しつつ、ダストカップ１０３を取り外すと同時に、塵埃除去リング１５１とスライダー１６１が下向き摺動する。
【００１１】
この際、下向きの塵埃除去リング１５１は、フィルター１３０の外面に集積された塵埃を掃きながら摺動し、これにより掃かれる塵埃はダストカップ１０３内に落下して蓄積される。すると、ユーザはダストカップ１０３の突起溝とスライダー１６１の結合突起１６２の相互噛み合いを解除させた後、ダストカップ１０３に回収されたゴミ及び塵埃を除去させうる。一方、ゴミ及び塵埃を除去したダストカップ１０３は前述した逆順によって上向きに加圧してサイクロンボディ１１０の筒結合部１２５に結合可能になる。
【００１２】
ところが、かかる従来のサイクロン集塵装置１００のフィルター掃除機構１５０では、フィルター１３０の外面にフィルタリングされた塵埃の量が多い場合、塵埃除去リング１５１の移動が妨げられ、その塵埃を除去するための機能を正しく行なえない問題を抱えている。その場合、ユーザが手作業でフィルター１３０の外面に付着された塵埃を除去し、塵埃除去リング１５１が円滑に移動させるための手入れが必要になるため不便である。
【００１３】
また、従来のサイクロン集塵装置１００のフィルター掃除機構１５０では、塵埃除去リング１５１をフィルター１３０の外面に昇降させるための複雑な構成、すなわちスライダー１６１、ロッキングリバー１７１、及びロッカバネ１８１を必然的に具備すべきであるため製造コストがアップし、組立分解が困難な問題を抱える。また、従来のサイクロン集塵装置１００のフィルター掃除機構１５０には、スライダー１６１の上下摺動のための案内溝部１５７を、サイクロンボディ１１０の連結管１１３とダストカップ１０３との間に形成すべきため、複雑な構造を有する高価な金型製作に伴う費用がアップする問題を抱える。
【特許文献１】日本特開２００２−３１５７０１号公報
【特許文献２】日本特開２００２−３１５７０２号公報
【発明の開示】
【発明が解決しようとする課題】
【００１４】
本発明は前述した従来の問題点を解決するために案出されたもので、その目的はフィルターを回転させその外面に集積される塵埃を簡単に除去できるようにする真空掃除機のサイクロン集塵装置用フィルター組立体を提供することにある。
【００１５】
本発明の他の目的は、簡単な構成で製造コストを低減できるのみならず、その組立分解も簡便な真空掃除機のサイクロン集塵装置用フィルター組立体を提供することにある。
【００１６】
本発明のさらなる他の目的は、ダストカップ及びサイクロンボディの連結管との間に案内溝部が不要なフィルター組立体を提供し、真空掃除機のサイクロン集塵装置を簡単な金型で容易に製造できるようにする。
【課題を解決するための手段】
【００１７】
前述した目的は、ダストカップを有するサイクロン集塵装置の排気ポートに排出される、気流に含まれた塵埃をフィルタリングさせるフィルター組立体において、前記排気ポートについて回転自在に結合され、外周面に設けられた吸気グリル部、及び前記排気ポートと連通する排気口を備える回転フィルターと、前記ダストカップ内にて軸線方向に配置され、前記回転フィルターと結合される一端と前記ダストカップを貫いて外部に露出された他端を備える作動バーと、前記作動バーの他端と結合して、前記作動バーを前記回転フィルターと一体に回転させる操作ノブとを含んで構成される真空掃除機のサイクロン集塵装置用フィルター組立体によって達成される。
【発明の効果】
【００１８】
本発明によればダストカップの下部に露出された操作ノブを操作しフィルターを回転させることによって、その外面に集積される塵埃を簡単に除去させうる真空掃除機のサイクロン集塵装置用フィルター組立体が提供される。
【００１９】
本発明の真空掃除機のサイクロン集塵装置用フィルター組立体は、簡単な構成で製造コストを低減できるのみならず、その組立分解も簡便である。そして、ダストカップ及びサイクロンボディの連結管との間に案内溝部などが省かれるので、その製作が簡便である。
【発明を実施するための最良の形態】
【００２０】
以下、添付した図面に基づき本発明の望ましい実施の形態をさらに具体的に説明する。
【００２１】
図３は本発明に係るフィルター組立体を備える真空掃除機のサイクロン集塵装置の縦断図である。同図によれば、本フィルター組立体５０が装着されたサイクロン集塵装置１は、吸気ポート１３と排気ポート２３が形成されたサイクロンボディ１０、サイクロンボディ１０に着脱自在に結合されるダストカップ３１、及びサイクロンボディ１０の排気ポート２３に設けられ、ダストカップ３１内に配置されるフィルター組立体５０を備える。
【００２２】
サイクロンボディ１０は、排気ポート２３が形成された上部胴体２１と吸気ポート１３が形成された下部胴体１１から構成され、これら上下部胴体２１、１１は複数のネジ４１結合される。上部胴体２１に上向きに開口された排気ポート２３には、排出側結合管２５が上向きに延長されている。排出側結合管２５は真空掃除機の掃除機本体(図示せず)に連結されたフレキシブル連結管４７に結合される。
【００２３】
下部胴体１１は下向きに開口された吸気ポート１３と、吸気ポート１３と並んで下向きに開口された筒結合部１７を備える。吸気ポート１３には吸気側結合管１５が下向きに延長されている。この吸気側結合管１５は真空掃除機の塵埃吸込部(図示せず)を有する吸入管４９と結合される。そして、筒結合部１７の外面にはダストカップ３１の結合縁部３３を収容する結合リブ４３が形成されている。この結合リブ４３には水平方向に切り取られた結合スリット４５が設けられている。
【００２４】
このようなサイクロンボディ１０の上部胴体２１と下部胴体１１との間にゴミ逆流防止板９１が介在される。ゴミ逆流防止板９１は円錐形を有する板状体で、上部胴体２１と下部胴体１１によって形成される内部空間を上下に分ける。サイクロンボディ１０の上部胴体２１と下部胴体１１にはそれぞれゴミ逆流防止用固定リブ１８、２８が突出している。このようなゴミ逆流防止板９１には、下部胴体１１から上部胴体２１に向かった空気の流れを許容する排気孔(図示せず)が形成されており、この排気孔の開口縁には下向き延長された筒状の結合フランジ９３が突出している。結合フランジ部９３には、後述するようにフィルター組立体５０が着脱自在に結合する。
【００２５】
ダストカップ３１は上向きに開口された円筒状であって、従来のダストカップ(図１の１０３)とは違って、スライダー用案内溝部(図１の１５７)及び突起溝が除去された簡単な構造を有する。かかるダストカップ３１の開口縁部は、結合リブ４３に収容される結合縁部３３を形成し、この結合縁部３３には結合スリット４５と噛み合う、噛み合い突起３５が突出している。ダストカップ３１の結合縁部３３を筒結合部１７の結合リブ４３に収容させた状態で一側方向に回転させれば、噛み合い突起３５が結合スリット４５内に収容される。これにより、ダストカップ３１はサイクロンボディ１０に着脱自在に結合できる。
【００２６】
さらに、ダストカップ３１には、作動バー７１の下端部を通過させるバー通過孔（図４の３８）が底面に開口されている。ダストカップ３１の底面においてバー通過孔３８の開口縁から上向き突出した回転支持リブ３９が備えられている。この回転支持リブ３９は、作動バー７１を回転自在に支持する役割を果たす。そして、ダストカップ３１の下部外面にはその円周方向に沿って外向き突出した三つの案内突起３７が備えられる。これら案内突起３７は、操作ノブ８１の円滑な回転を導く。
【００２７】
一方、図４は図３の要部分解図であって、本フィルター組立体の構成をさらに具体的に示す図である。同図が示すように、本フィルター組立体５０は、サイクロンボディ１０の上部胴体２１に形成された排気ポート２３について回転可能な回転フィルター５２、ダストカップ３１の下部に位置する操作ノブ８１、及び操作ノブ８１と回転フィルター５２との間に介在される作動バー７１を備える。ここで、回転フィルター５２は回転支持体５１内に回転自在に支持されることが好ましい。また、回転フィルター５２の外面にフィルタリングされた塵埃を取除くブラシ９７をさらに含むことができる。
【００２８】
図５に示される如く、回転支持体５１は、回転フィルター５２を内部に収容する支持フレーム６１と、支持フレーム６１の下部に結合され内部に収容された回転フィルター５２とを回転自在に支持する支持ベース６６からなる。支持フレーム６１は、複数の吸気窓６２を外面に設け、上部には結合部６３が備えられる。支持フレーム６１の下部には円周方向に沿って一定の間隔をおいて下向き突出した複数のフック６４が設けられている。
【００２９】
支持ベース６６は、下向き開口された円筒状を持ち、上部面にては回転フィルター５２のフランジ部５６を部分的に収容する収容孔６８が備えられている。そして、収容孔６８の縁部では、支持フレーム６１のフック６４が結合される複数のフック孔６９が備えられている。フック孔６９が備えられた支持ベース６６の上部面には、回転フィルター５２が備えられ回転自在に支持される。
【００３０】
かかる回転支持体５１は、支持フレーム６１の結合部６３がゴミ逆流防止板９１の結合フランジ９３に着脱自在に結合される。ここで、回転支持体５１は結合フランジ部９３のないゴミ逆流防止板の排気孔に結合される構造の方に変更されうることはもちろんのこと、上部胴体２１の排気ポート２３に直接結合される構造に変更できる。
【００３１】
一方、回転フィルター５２は、上向きに開口された円筒状を有し、外周面に吸気グリル部５３が備えられている。ここで、吸気グリル部５３は、空気に含まれた微細ホコリを自体的にフィルタリング可能な多数の回転フィルター孔を含んで構成できる。しかし、より効果的なフィルタリングのため、図示した通り、吸気グリル部５３を複数の吸気口で簡単に構成し、その外面に網状のフィルタリング部材５５を設けることが好ましい。一方、回転フィルター５２の上向き開口は、排気ポート２３と連通する排気口を形成し、吸気グリル部５３を通過しつつフィルタリングされた空気を排気させる。
【００３２】
回転フィルター５２の下部には下向き延長されたフランジ部５６が備えられる。フランジ部５６は、回転フィルター５２の直径より小直径を有し、回転支持体５１の支持ベース６６に形成された収容孔６８内に収容結合する。この際、回転フィルター５２の下部は支持ベース６６の収容孔６８が形成された上部面６７と回転自在に接面する。円滑な回転フィルター５２の回転結合のためには、その外周面には外向き突出した回転突起５４が突出している。
【００３３】
そして、回転フィルター５２のフランジ部５６内には、図６に示されている通り、複数の被動結合突起５７が放射状で下向き突出している。これら被動結合突起５７は、それぞれ外側の方向に沿ってその突出の高さが次第に高くなるよう設けられている。かかる構造は、後述する作動バー７１の上端部７３が、結合方向に上向き移動するのを中央部分に導き、作動バー７１の可動結合突起７４と被動結合突起５７とが正確に噛み合うようにする。
【００３４】
このような回転フィルター５２は、ゴミ逆流防止板９１の結合フランジ９３に結合された回転支持体５１内に回転可能に収容される。ここで、回転フィルター５２は、回転支持体５１なしに、ゴミ逆流防止板９１に直接回転自在に結合される構造に変形できる。さらに回転フィルター５２は、回転支持体５１のみならず、ゴミ逆流防止板９１なしに上部胴体２１の排気ポート２３に直接回転可能に結合される構造の方に変形できることは勿論である。
【００３５】
かかる回転フィルター５２に、フィルタリング部材５５によってフィルタリングされながら集積する塵埃を取除くブラシ９７を設けることが好ましい。ブラシ９７は、回転支持体５１、つまり、支持フレーム６１の内面に吸気窓６２の間に設けることが好ましく、上下方向に並んで配置され、互いに対向する一対あるいは二対として備えることができる。これらブラシ９７は、回転支持体５１内で回転フィルター５２が回転する際、フィルタリングされた塵埃を奇麗に取除くことができる。
【００３６】
一方、図７に示している通り、作動バー７１は、回転フィルター５２のフランジ部５６にて形成された被動結合突起５７と噛み合う複数の可動結合突起７４を備える。ここで、下部においては、その下端部７５を外周から包むよう外向き突出した後、下向き延長された回転係止部７７を形成する。回転係止部７７は、ダストカップ３１の底面に形成された回転支持リブ３９と係止維持され、この際回転係止部７７の下端と回転支持リブ３９の上端が回転できるよう接面する。作動バー７１の下端部７５には、その軸線に沿って締結孔７６が備えられている。
【００３７】
そして、操作ノブ８１は、半球状を有し、ダストカップ３１の下部に結合される。操作ノブ８１の底面には、作動バー７１の下端部７５を収容するよう上向き突出した収容リブが備えられている。収容リブ８３の真ん中には貫通孔が備えられ、下方からスクリュー９５が貫通して収容リブ８３にて収容される作動バー７１の締結孔７６に締結される。これによって、操作ノブ８１と作動バー７１は一体回転可能になる。操作ノブ８１の内周面には、ダストカップ３１の外面に形成された案内突起３７と噛み合う、三つの噛み合い突起８５が備えられている。
【００３８】
かかる構成を有する本フィルター組立体５０を備えるサイクロン集塵装置１においては、吸入管４９内に吸い込まれたゴミ及び塵埃を含む空気が吸気ポート１３を通して斜線方向に流入される。このように流入される空気は回転フィルター５２を中心に旋回しつつ渦巻き気流を形成し、この際、空気と共に旋回するゴミ及び大粒子の塵埃は遠心力によって分離される。ところが、ゴミ及び大粒子の塵埃が遠心分離された空気にはまだ微細なホコリが含まれている。このような微細なホコリは回転フィルター５２を通過しつつフィルタリングされた後、浄化された空気のみが排気ポート２３を経て排気される。
【００３９】
時間の経過につれ、回転フィルター５２の外面、つまり、フィルタリング部材５５にはフィルタリングされた塵埃が次第に集積される。集積される塵埃は、回転フィルター５２を介して排出される空気の速度を低下させるため、周期的に取除く必要性がある。従って、集積された塵埃の量が増加すれば、ユーザはダストカップ３１の下部に結合された操作ノブ８１を一側方向に回転させる。すると、操作ノブ８１に結合された作動バー７１が回転しつつ、回転フィルター５２を回転させる。この際、回転フィルター５２の外面に集積された塵埃が分離されダストカップ３１内に落下し、このような塵埃の分離は回転支持体５１にて設けられたブラシ９７により効果的に進行する。ここで、操作ノブ８１を回転させ回転フィルター５２に集積される塵埃を除去させる作業は、掃除中においても時々行うことが好ましい。
【００４０】
一方、遠心分離されダストカップ３１内に蓄積されるゴミ及び塵埃が増加すると、ユーザはサイクロンボディ１０からダストカップ３１だけを簡単に取り外して除去することができる。前述した通りダストカップ３１は、一側方向に回転させ結合スリット４５に結合された噛み合い突起３５を解除させた後、下向きに加圧して分離させうる。
【００４１】
その後、ダストカップ３１に蓄積された塵埃を捨て、再びサイクロンボディ１０に結合させる場合、作動バー７１の上端部７３は、回転フィルター５２のフランジ部５６に備えられた被動結合突起５７によって案内され中央部分の方に移動される。よって、回転フィルター５２の被動結合突起５７と作動バー７１の可動結合突起７４が正確に噛み合い結合された状態で配置される。それから、ダストカップ１３を回転させてその噛み合い突起３５をサイクロンボディ１０の結合スリット４５に収容させることにより、簡単に本フィルター組立体５０を結合させることができる。
【図面の簡単な説明】
【００４２】
【図１】従来のフィルター掃除機構が設けられた真空掃除機のサイクロン集塵装置の縦断図である。
【図２】図１の部分拡大斜視図であって、従来のフィルター掃除機構をさらに具体的に示す図である。
【図３】本発明に係る真空掃除機のサイクロン集塵装置用のフィルター組立体の縦断図である。
【図４】図３の要部分解図であって、本フィルター組立体の構成をさらに具体的に示す図である。
【図５】図４の部分拡大斜視図で、回転フィルターとその回転支持体の結合構造を示す図である。
【図６】本回転フィルターの底面斜視図である。
【図７】本作動バーの斜視図である。
【符号の説明】
【００４３】
１    サイクロン集塵装置
１０  サイクロンボディ
１１  下部胴体
１３  吸気ポート
１５  吸気側結合管
１７  筒結合部
１８、２８  ゴミ逆流防止用固定リブ
２１  上部胴体
２３  排気ポート
２５  排出側結合管
３１  ダストカップ
３３  結合縁部
３５  噛み合い突起
３７  案内突起
３８  バー通過孔
３９  回転支持リブ
４１  ネジ
４３  結合リブ
４５  結合スリット
４７  フレキシブル連結管
４９  吸入管
５０  フィルター組立体
５１  回転支持体
５２  回転フィルター
５３  吸気グリル部
５４  回転突起
５５  フィルタリング部 
５６  フランジ部
５７  被動結合突起
６１  支持フレーム
６２  吸気窓
６３  結合部
６４  フック
６６  支持ベース
６７  上部面
６８  収容孔
６９  フック孔
７１  作動バー
７３  上端部
７４  可動結合突起
７５  下端部
７７  回転係止部
８１  操作ノブ
８３  収容リブ
８５  噛み合い突起
９１  ゴミ逆流防止板
９３  結合フランジ
９５  スクリュー
９７  ブラシ
【図１】
2004313745.tif 000003
【図２】
2004313745.tif 000004
【図３】
2004313745.tif 000005
【図４】
2004313745.tif 000006
【図５】
2004313745.tif 000007
【図６】
2004313745.tif 000008
【図７】
2004313745.tif 000009